(57)【要約】      （修正有）【課題】衣類へ容易に転換でき、転換ステップが簡単で、機能が実用的であり、且つ美観性及び着心地のよさを有する、転換可能なバッグを提供する。【解決手段】展開状態で衣類を形成するバッグ本体と、バッグ本体の適切な位置に縫い合わされており、衣類がバッグ本体に転換される際に、衣類の一部を衣類の他の一部の中に安定的に隠すように、互いに組み合わされる第１の取り付け品と、を備える。カバーと、掛け紐と、インナーバッグとを更に備えてもよい。【選択図】図１
0003158194.tif 000002
【実用新案登録請求の範囲】
【請求項１】
転換可能なバッグであって、
展開状態で衣類を形成するバッグ本体と、
前記バッグ本体の適切な位置に縫い合わされた第１の取り付け品と、を備え、
前記衣類が前記バッグ本体に転換される際に、前記衣類の一部を前記衣類の他の一部の中に安定的に隠すように、前記第１の取り付け品が互いに組み合わされることを特徴とする転換可能なバッグ。
【請求項２】
前記転換可能なバッグは、ショルダー・バッグ、ハンド・バッグ、トート・バッグ、又はリュックサックのいずれかであることを特徴とする請求項１に記載の転換可能なバッグ。
【請求項３】
前記衣類は、ジャケット、チョッキ、シャツ、Tシャツ、セーター、スカート、又はズボンのいずれかであることを特徴とする請求項１に記載の転換可能なバッグ。
【請求項４】
前記第１の取り付け品は、ファスナー、バックル、ボタン、マジック・テープ、又はスナップボタンのいずれかであることを特徴とする請求項１に記載の転換可能なバッグ。
【請求項５】
前記転換可能なバッグが更にカバーを有することを特徴とする請求項１〜４の何れかに一項に記載の転換可能なバッグ。
【請求項６】
前記カバーは、第２の取り付け品を介して、前記バッグ本体と着脱可能に連結することを特徴とする請求項５に記載の転換可能なバッグ。
【請求項７】
前記第２の取り付け品は、ファスナー、バックル、ボタン、マジック・テープ、又はスナップボタンのいずれかであることを特徴とする請求項６に記載の転換可能なバッグ。
【請求項８】
前記カバーを前記バッグ本体に密着させるように、第３の取り付け品が前記カバー及び前記バッグ本体の対応する位置にそれぞれ配置されることを特徴とする請求項５に記載の転換可能なバッグ。
【請求項９】
前記第３の取り付け品は、ファスナー、バックル、ボタン、マジック・テープ、又はスナップボタンのいずれかであることを特徴とする請求項８に記載の転換可能なバッグ。
【請求項１０】
前記バッグ本体は前記衣類の一部であり、前記カバーは前記衣類の残りの部分であることを特徴とする請求項５に記載の転換可能なバッグ。
【請求項１１】
前記カバーを前記バッグ本体に密着させるように、第３の取り付け品が前記カバーと前記バッグ本体の対応する位置にそれぞれ配置されたことを特徴とする請求項１０に記載の転換可能なバッグ。
【請求項１２】
前記第３の取り付け品は、ファスナー、バックル、ボタン、マジック・テープ、又はスナップボタンのいずれかであることを特徴とする請求項１１に記載の転換可能なバッグ。
【請求項１３】
第４の取り付け品を介して前記バッグ本体と着脱可能に連結された掛け紐を更に有することを特徴とする請求項１〜４の何れか一項に記載の転換可能なバッグ。
【請求項１４】
前記第４の取り付け品は、ファスナー、バックル、ボタン、マジック・テープ、又はスナップボタンのいずれかであることを特徴とする請求項１３に記載の転換可能なバッグ。
【請求項１５】
前記転換可能なバッグ内にインナーバッグが更に配置されることを特徴とする請求項１〜４の何れか一項に記載の転換可能なバッグ。
【請求項１６】
前記インナーバッグは、第５の取り付け品を介して前記バッグ本体と着脱可能に連結されることを特徴とする請求項１５に記載の転換可能なバッグ。
【請求項１７】
前記第５の取り付け品は、ファスナー、バックル、ボタン、マジック・テープ、又はスナップボタンのいずれかであることを特徴とする請求項１６に記載の転換可能なバッグ。
【請求項１８】
前記衣類は、芯地、又は裏地を備えることを特徴とする請求項１〜４の何れか一項に記載の転換可能なバッグ。
【考案の詳細な説明】
【技術分野】
【０００１】
本考案は転換可能なバッグに関し、具体的には、衣類へ容易に転換できるバッグに関する。
【背景技術】
【０００２】
バッグは、出掛けるときなど、品物を収納するのに不可欠なものである。しかし、従来のバッグは、収納する以外の用途で使用されることが殆どない。特に旅行に出掛ける際、各種の品物を収納できるように比較的大きなバッグが必要となるが、目的地に到着したら、品物は取り出され、又は廃棄されるため、バッグは邪魔になる場合が多い。一方、旅行に出掛ける際、気温が急に変化し、又は他の予想外の情況に遭遇する可能性もある。その場合、着衣の量を増やす、又は着衣を変更する必要があるが、持っている衣類が足りなかったら大変なことになるだろう。そのとき、バッグを衣類に転換させれば、上記問題を解決することができる。
【０００３】
また、温度差によっても同じ問題が発生する。例えば、寒い室外から暖房がついているデパートに入った場合、普通、脱いだ衣類を片手で持たなければならなくなり、もし他の品物を持っていれば、大変不便である。当該衣類が、転換可能なバッグから転換されたものであれば、それを簡単にバッグに戻すことができ、衣類を片手で持つ必要がなくなるばかりではなく、他の品物を転換可能なバッグの中に収納、又は保存することもできるようになり、ユーザに利便性を提供することができる。
【０００４】
従って、バッグの形と衣類の形との間で容易に転換できる、転換可能なバッグの需要が大変高まってきた。現在、市場にある転換可能なバッグ、或いは転換可能な衣類は主として以下のいくつかの課題を含んでいる。
ｉ  衣類と付属バッグとが繋がっており、衣類がバッグに転換された場合のバッグの主な機能は、他の品物を収納するのではなく、衣類を収納することとなる。当該転換可能なバッグの主な役割は、他の品物を収納することではなく、自らの衣類を収納することであるため、多くの品物を収納、又は保存できるというバッグの機能を実現してはいない。
ｉｉ  ある製品は、転換過程において、転換ステップが比較的複雑であり、ユーザに利便性を提供するという原則に合致しない。
ｉｉｉ  ある製品によれば、バッグは、ただ衣類の中に隠されて、衣類に縫われることで連結されていて、バッグが衣類に連結されているため、ユーザはバッグから転換して形成された衣類を着たら、当然衣類に連結されたバッグの部分を感じるため、着心地が非常に悪い。
【０００５】
なお、従来の転換可能なバッグの布地については、通常、防水材料又は硬質材料が採用され、着心地が非常に悪く、転換後の衣類は大抵が大きく、デザインも単一であり美観性に欠けている。
【考案の開示】
【考案が解決しようとする課題】
【０００６】
本考案が解決しようとする技術的課題は、従来の転換可能なバックにおける、機能が単一、転換ステップが複雑、且つ美観性及び快適さに欠けているなどの問題点に対して、転換ステップが簡単、機能が実用的であり、且つ美観性及び着心地のよさを有する、転換可能なバッグを提供することである。
【課題を解決するための手段】
【０００７】
本考案において、その技術的課題を解決するために採用される技術案は以下の通りである。即ち、転換可能なバッグであって、展開状態で衣類を形成するバッグ本体と、前記バッグ本体の適切な位置に縫い合わされた第１の取り付け品とを備え、前記衣類が前記バッグ本体に転換される際、前記衣類の一部を前記衣類の他の一部の中に安定的に隠すように、前記第１の取り付け品が互いに組み合わされる。
【０００８】
本考案において、前記転換可能なバッグは、ショルダー・バッグ、ハンド・バッグ、トート・バッグ、又はリュックサックのいずれかであってよい。前記衣類は、ジャケット、チョッキ、シャツ、Tシャツ、セーター、スカート、又はズボンのいずれかであってよい。前記第１の取り付け品は、ファスナー、バックル、ボタン、マジック・テープ、又はスナップボタンのいずれかであってよい。
【０００９】
なお、前記転換可能なバッグは、第２の取り付け品を介して前記バッグ本体と着脱可能に連結するカバーを更に有してもよく、前記バッグ本体は前記衣類の一部であり、前記カバーは前記衣類の残りの部分である。前記カバーを前記バッグ本体に密着させるように、第３の取り付け品を、前記カバー及び前記バッグ本体の対応する位置にそれぞれ配置してもよい。前記第２の取り付け品及び第３の取り付け品は、ファスナー、バックル、ボタン、マジック・テープ、又はスナップボタンのいずれかであってよい。
【００１０】
なお、前記転換可能なバッグは、第４の取り付け品を介して前記バッグ本体に着脱可能に連結された掛け紐を更に有してもよい。前記第４の取り付け品は、ファスナー、バックル、ボタン、マジック・テープ、又はスナップボタンのいずれかであってよい。また、第５の取り付け品を介して前記バッグ本体に着脱可能に連結されたインナーバッグを、更に前記バッグ本体内に配置してもよい。前記第５の取り付け品は、ファスナー、バックル、ボタン、マジック・テープ、又はスナップボタンのいずれかであってよい。
【００１１】
なお、前記転換可能なバッグが展開されて衣類に転換される際、前記カバー、掛け紐、又はインナーバッグを収納するために、前記衣類は芯地又は裏地を備えてもよい。
【考案の効果】
【００１２】
本考案にかかる転換可能なバッグは、以下の有益な効果を有する。即ち、本考案にかかる転換可能なバッグは、転換する前に、従来のバッグと同じように多くの品物を収納できるため、品物を収納、保存するというバッグ本来の機能を発揮できる。簡単なステップ又は工程を経て、転換可能なバッグを衣類に転換させることができ、転換後の衣類は美観的且つ着心地がよい。転換後の衣類を、容易にバッグに戻すこともできる。本考案は、美観的且つ着心地がよいものであり、その使用は簡単且つ容易であり、幅広く適用できる。
【図面の簡単な説明】
【００１３】
【図１】本考案の第１の実施例にかかる転換可能なバッグの概略図である。
【図２】図１に示された実施例１におけるバッグ本体の展開により形成されたジャケットの正面図である。
【図３】図１に示された実施例１におけるバッグ本体の展開により形成されたジャケットの後面図である。
【図４】本考案の実施例１において、バッグをジャケットに転換する各ステップの概略図である。
【図５】本考案の実施例１において、バッグをジャケットに転換する各ステップの概略図である。
【図６】本考案の実施例１において、バッグをジャケットに転換する各ステップの概略図である。
【図７】本考案の実施例１において、バッグをジャケットに転換する各ステップの概略図である。
【図８】本考案の実施例１において、バッグをジャケットに転換する各ステップの概略図である。
【図９】本考案の実施例１において、バッグをジャケットに転換する各ステップの概略図である。
【図１０】本考案の実施例１において、バッグをジャケットに転換する各ステップの概略図である。
【図１１】本考案の実施例１において、バッグをジャケットに転換する各ステップの概略図である。
【図１２】本考案の第２の実施例にかかる転換可能なバッグの概略図である。
【図１３】図１２に示された実施例２におけるバッグ本体の展開により形成されたジャケットの正面図である。
【図１４】図１２に示された実施例２におけるバッグ本体の展開により形成されたジャケットの後面図である。
【図１５】本考案の実施例２において、バッグをジャケットに転換する各ステップの概略図である。
【図１６】本考案の実施例２において、バッグをジャケットに転換する各ステップの概略図である。
【図１７】本考案の実施例２において、バッグをジャケットに転換する各ステップの概略図である。
【図１８】本考案の実施例２において、バッグをジャケットに転換する各ステップの概略図である。
【図１９】本考案の実施例２において、バッグをジャケットに転換する各ステップの概略図である。
【図２０】本考案の実施例２において、バッグをジャケットに転換する各ステップの概略図である。
【図２１】本考案の実施例２において、バッグをジャケットに転換する各ステップの概略図である。
【図２２】本考案の実施例２において、バッグをジャケットに転換する各ステップの概略図である。
【図２３】本考案の実施例２において、バッグをジャケットに転換する各ステップの概略図である。
【図２４】本考案の第３の実施例にかかる転換可能なバッグの概略図である。
【図２５】図２４に示された実施例３におけるバッグ本体の展開により形成されたジャケットの正面図である。
【図２６】図２４に示された実施例３におけるバッグ本体の展開により形成されたジャケットの後面図である。
【図２７】本考案の実施例３において、ジャケットに転換する各ステップの概略図である。
【図２８】本考案の実施例３において、ジャケットに転換する各ステップの概略図である。
【図２９】本考案の実施例３において、ジャケットに転換する各ステップの概略図である。
【図３０】本考案の実施例３において、ジャケットに転換する各ステップの概略図である。
【図３１】本考案の実施例３において、ジャケットに転換する各ステップの概略図である。
【図３２】本考案の実施例３において、ジャケットに転換する各ステップの概略図である。
【図３３】本考案の実施例３において、ジャケットに転換する各ステップの概略図である。
【図３４】本考案の実施例３において、ジャケットに転換する各ステップの概略図である。
【図３５】本考案の第４の実施例にかかる転換可能なバッグの概略図である。
【図３６】図３５に示された実施例４におけるバッグ本体の展開により形成されたスカートの正面図である。
【図３７】図３５に示された実施例４におけるバッグ本体の展開により形成されたスカートの後面図である。
【図３８】本考案の実施例４において、スカートに転換する各ステップの概略図である。
【図３９】本考案の実施例４において、スカートに転換する各ステップの概略図である。
【図４０】本考案の実施例４において、スカートに転換する各ステップの概略図である。
【図４１】本考案の実施例４において、スカートに転換する各ステップの概略図である。
【図４２】本考案の実施例４において、スカートに転換する各ステップの概略図である。
【図４３】本考案の実施例４において、スカートに転換する各ステップの概略図である。
【図４４】本考案の実施例４において、スカートに転換する各ステップの概略図である。
【図４５】本考案の実施例４において、スカートに転換する各ステップの概略図である。
【図４６】本考案の第５の実施例にかかる転換可能なバッグの概略図である。
【図４７】図４６に示された実施例５におけるバッグ本体の展開により形成されたズボンの正面図である。
【図４８】図４６に示された実施例５におけるバッグ本体の展開により形成されたズボンの後面図である。
【図４９】本考案の実施例５において、ズボンに転換する各ステップの概略図である。
【図５０】本考案の実施例５において、ズボンに転換する各ステップの概略図である。
【図５１】本考案の実施例５において、ズボンに転換する各ステップの概略図である。
【図５２】本考案の実施例５において、ズボンに転換する各ステップの概略図である。
【図５３】本考案の実施例５において、ズボンに転換する各ステップの概略図である。
【図５４】本考案の実施例５において、ズボンに転換する各ステップの概略図である。
【図５５】本考案の実施例５において、ズボンに転換する各ステップの概略図である。
【図５６】本考案の実施例５において、ズボンに転換する各ステップの概略図である。
【図５７】本考案の実施例５において、ズボンに転換する各ステップの概略図である。
【図５８】本考案の第６の実施例にかかる転換可能なバッグの概略図である。
【図５９】図５８に示された実施例６におけるバッグ本体の展開により形成されたジャケットの正面図である。
【図６０】図５８に示された実施例６におけるバッグ本体の展開により形成されたジャケットの後面図である。
【図６１】本考案の実施例６において、ジャケットに転換する各ステップの概略図である。
【図６２】本考案の実施例６において、ジャケットに転換する各ステップの概略図である。
【図６３】本考案の実施例６において、ジャケットに転換する各ステップの概略図である。
【図６４】本考案の実施例６において、ジャケットに転換する各ステップの概略図である。
【図６５】本考案の実施例６において、ジャケットに転換する各ステップの概略図である。
【考案を実施するための形態】
【実施例１】
【００１４】
図１〜１１は、本考案の第１の実施例にかかる転換可能なバッグの概略図である。図１に示すように、前記転換可能なバッグはショルダー・バッグであり、バッグ本体１と、カバー２と、掛け紐３とを備える。前記バッグ本体１は展開状態でジャケットになり、図２と図３はそれぞれ前記ジャケットの正面図及び後面図である。前記カバー２及びバッグ本体１の対応する位置にそれぞれ配置されたファスナー４（図６を参考）を介して、前記カバー２は前記バッグ本体１に着脱可能に連結されている。カバー２をバッグ本体１に密着させるように、前記バッグ本体１及びカバー２の対応する位置に、更にそれぞれスナップボタン５、６を配置することができる。前記掛け紐３はバックル７を介して前記バッグ本体１に着脱可能に連結され、図５は前記バックル７の拡大図である。前記ファスナー、スナップボタン、及びバックルは互換性を有しており、マジック・テープ、ボタン、又はとめピンなどの他のものを使用してもよい。
【００１５】
バッグ本体１の底部（前記ジャケットの中間部分に対応）にファスナー８、９が配置されている。前記バッグ本体１をジャケットからバッグに転換させる過程において、ジャケットの上半部を下半部の中に隠した後、ファスナー８、９を閉め、完全なバッグを形成する。図６に示すように、バッグ本体底部の長手方向全体に亘って２つのファスナーが配置されているが、１つのファスナーを配置してもよい。バッグ本体は、展開されて形成されたジャケットが綺麗に見えるように、カバー・シート１０にて前記ファスナーを被覆することができる。それによって、バッグ本体をジャケットに展開した後、前記ファスナーはジャケットの表面に露出することはない。なお、前記ファスナーの代わりに、スナップボタン、バックル、マジック・テープ、ボタン、又はとめピンなどの他のものを使用してもよい。
【００１６】
本考案の実施例１において、ジャケットに転換する各ステップの概略図は、図４〜１１に示される。まず、図４及び図５に示すように、バックル７を外して掛け紐３をバッグ本体から取り外す。次に、図６に示すように、カバー２のスナップボタン５、６を開け、ファスナー４を下ろしてカバー２を取り外す。そして、図７及び図８に示すように、ファスナー８、９をそれぞれ下ろす。最後に、図９〜１１に示すように、バッグ本体１に隠されたジャケットの上半部を引き出し、バッグからジャケットへの転換が完成する。
【００１７】
図２或いは図３に示されたジャケットから図１に示されたバッグへの転換は、図４〜１１に示された各ステップを、逆手順に従って行なうことで実現できる。即ち、まず、ジャケットの上半部を下半部内に入れ、ジャケットの上半部分を隠す。次に、ファスナー８、９を閉め、完全なバッグ本体１を形成する。そして、ファスナー４によってバッグ本体１にカバー２を取り付け、カバー２のスナップボタン５、６を締める。最後に、バックル７によって掛け紐３を取り付ける。こうして、ジャケットを美観的、且つ実用的なバッグに転換できる。
【００１８】
実施例１において、ジャケットの上半部が転換可能なバッグの内部に収納されたため、物の出し入れが不便となり得る。それを考慮して、本考案の考案者は、図１２〜２３に示すように、バッグ本体の中にインナーバッグが付設された実施例２を考案した。
【実施例２】
【００１９】
図１２に示すように、本考案の実施例２及び実施例１はほぼ類似であり、両者の相違点は、以下の点である。即ち、実施例２におけるバッグ本体１の中にインナーバッグ１１が更に配置され（図１８を参考）、インナーバッグ１１及びバッグ本体１の対応する位置にそれぞれ配置されたスナップボタン１２を介して、前記インナーバッグ１１は前記バッグ本体１に着脱可能に連結できる。同様に、前記スナップボタンの代わりに、ファスナー、バックル、マジック・テープ、ボタン、又はとめピンなどの他のものを使用してもよい。
【００２０】
本考案の実施例２において、ジャケットに転換する各ステップの概略図は、図１５〜２３に示される。まず、図１５、１６に示すように、バックル７を外して掛け紐３をバッグ本体から取り外す。次に、図１７に示すように、カバー２のスナップボタン５、６を開け、ファスナー４を下ろしてカバー２を取り外す。そして、図１８及び図１９に示すようにスナップボタン１２を開け、インナーバッグ１１を取り出す。その後、図２０に示すように、ファスナー８、９をそれぞれ下ろす。最後に、図２１〜２３に示すように、バッグ本体１に隠されたジャケットの上半部を引き出し、転換可能なバッグからジャケットへの転換が完成する。
【００２１】
図１４に示されたジャケットから図１２に示されたバッグへの転換は、図１５〜２３に示された各ステップを逆手順に従って行なうことで実現できる。
【実施例３】
【００２２】
図２４〜３４は、本考案の第３の実施例にかかる転換可能なバッグの概略図である。図２４に示すように、当該転換可能なバッグもショルダー・バッグであり、バッグ本体２１と、カバー２２と、掛け紐２３とを備える。前記バッグ本体２１は展開状態でジャケットになり、図２５及び図２６はそれぞれ前記ジャケットの正面図と後面図である。前記カバー２２及びバッグ本体２１の対応する位置にそれぞれ配置されたファスナー２４（図２８を参考）を介して、前記カバー２２は前記バッグ本体２１に着脱可能に連結されている。カバー２２をバッグ本体２１に密着させるように、前記バッグ本体２１及びカバー２２の対応する位置に更にそれぞれスナップボタン２５、２６を配置することができる。掛け紐２３及びバッグ本体２１の対応する位置にそれぞれ配置されたファスナー２７、２８（図３１を参考）を介して、前記掛け紐２３は前記バッグ本体２１に着脱可能に連結されている。前記ファスナー２７は、バッグ本体２１の底辺と両側辺に沿い、バッグ本体２１の正面、及び掛け紐２３の対応するエッジに配置され、前記ファスナー２８は、バッグ本体２１の底辺及び両側辺に沿い、バッグ本体２１の裏面、及び掛け紐２３の対応するエッジに配置されている。
【００２３】
なお、前記バッグ本体２１の中にインナーバッグ２９を更に配置することもできる（図２９を参考）。インナーバッグ２９及びバッグ本体２１にそれぞれ合わせて配置されたスナップボタン３０により、前記インナーバッグ２９は前記バッグ本体２１と着脱可能に連結されている。
【００２４】
そこで、前記ファスナー及びスナップボタンは互換性を有しており、バックル、マジック・テープ、ボタン、又はとめピンなどの他のものを使用してもよい。
【００２５】
本考案の実施例３において、ジャケットに転換する各ステップの概略図は、図２７〜３４に示される。まず、図２７、２８に示すように、カバー２２のスナップボタン２５、２６を開け、ファスナー２４を下ろしてカバー２２を取り外す。次に、図２９、３０に示すように、スナップボタン３０を開け、インナーバッグ２９を取り出す。そして、図３１に示すように、ファスナー２７、２８を下ろして掛け紐を取り外す。その後、図３２に示すように、バッグ本体の中に隠された部分の一部を引き出す。最後に、図３３、３４に示すように、バッグ本体の中に隠された部分を全部引き出し、バッグからジャケットへの転換が完成する。
【００２６】
図２５に示されたジャケットから図２４に示されたバッグへの転換は、図２７〜３４に示された各ステップを逆手順に従って行なうことで実現できる。
【実施例４】
【００２７】
図３５〜４５は、本考案の第４の実施例にかかる転換可能なバッグの概略図である。図３５に示すように、当該転換可能なバッグもショルダー・バッグであり、バッグ本体３１と、カバー３２と、掛け紐３３とを備える。前記バッグ本体３１は展開状態でスカートになり、図３６及び図３７はそれぞれ前記スカートの正面図及び後面図である。前記カバー３２及びバッグ本体３１の対応する位置にそれぞれ配置されたファスナー３４（図４１を参考）を介して、前記カバー３２は前記バッグ本体３１と着脱可能に連結されている。カバー３２をバッグ本体３１に密着させるように、前記バッグ本体３１及びカバー３２の対応する位置に更にそれぞれスナップボタン３５、３６を合わせて配置することができる。前記掛け紐３３はバックル３７を介して前記バッグ本体３１と着脱可能に連結され、図３９は前記バックル３７の拡大図である。前記ファスナー、スナップボタン、及びバックルは互換性を有しており、マジック・テープ、ボタン、又はとめピンなどの他のものを使用してもよい。
【００２８】
バッグ本体３１の両側辺（スカートの両側辺に対応）にそれぞれファスナー３８１、３８２が配置されている。前記バッグ本体３１をスカートからバッグへ転換させる過程において、スカートの上半部及び下半部を折り畳んだ後、ファスナー３８１、３８２を締めて、完全なバッグを形成する。前記ファスナーの代わりに、スナップボタン、バックル、マジック・テープ、ボタン、又はとめピンなどの他のものを使用してもよい。
【００２９】
なお、前記バッグ本体３１の中にインナーバッグ３９を更に配置することもできる。インナーバッグ３９及びバッグ本体３１の対応する位置にそれぞれ配置されたスナップボタン４０を介して、前記インナーバッグ３９は前記バッグ本体３１と着脱可能に連結できる。前記スナップボタンの代わりに、ファスナー、バックル、マジック・テープ、ボタン、又はとめピンなどの他のものを使用してもよい。
【００３０】
図３８〜４５は、本考案の実施例４において、スカートに転換する各ステップの概略図である。まず、図３８に示すように、カバー３２のスナップボタン３５、３６を開ける。次に、図３９、４０に示すように、バックル３７を外して掛け紐３３を取り外し、スナップボタン４０を開けてインナーバッグ３９を取り出す。そして、図４１に示すように、ファスナー３４を下ろしてカバー３２を取り外す。その後、図４２に示すように、両側のファスナー３８１、３８２をそれぞれ下ろす。最後に、図４３〜４５に示すように、ファスナーを完全に下ろし、展開してバッグからスカートへの転換が完成する。
【００３１】
図３６に示されたスカートから図３５に示されたバッグへの転換は、図３８〜４５に示された各ステップを逆手順に従って行なうことで実現できる。
【実施例５】
【００３２】
図４６〜５７は、本考案の第５の実施例にかかる転換可能なバッグの概略図である。図４６に示すように、当該転換可能なバッグはウェストバッグであり、バッグ本体４１と、カバー４２と、掛け紐４３とを備える。前記バッグ本体は展開状態で半ズボンになり、図４７及び図４８はそれぞれ前記半ズボンの正面図及び後面図である。前記カバー４２は前記半ズボンのウエスト部分であり、前記ウエスト部分を半ズボンの他の部分に折り畳むことによって前記カバー４２を形成する。カバー４２をバッグ本体４１に密着させるように、前記バッグ本体４１及びカバー４２の対応する位置にそれぞれスナップボタン４４が配置されている。掛け紐４３及びバッグ本体４１の対応する位置にそれぞれ配置されたバックル４５（図５１を参考）を介して、前記掛け紐４３は前記バッグ本体４１と着脱可能に連結されている。前記スナップボタン、バックルとバックルは互換性を有しており、ファスナー、マジック・テープ、ボタン、又はとめピンなどの他のものを使用してもよい。
【００３３】
バッグ本体４１の両側辺（半ズボンの外側辺と、股及び半ズボンの分岐に近接する部位とに対応）にそれぞれファスナー４６、４７が配置されており、ファスナー４６は半ズボンの外側辺に配置され、ファスナー４７は股及び半ズボンの分岐に近接する部位に配置されている。前記バッグ本体４１を半ズボンからバッグへ転換させる過程において、半ズボンの左半分及び右半分を折り畳み、半ズボンのファスナー４７の外側の部分を半ズボンの他の部分の中に隠した後、ファスナー４６、４７を締めて、完全なバッグを形成する。
【００３４】
なお、前記２本のファスナーの代わりに、より長いファスナー１本を使用することもでき、前記ファスナーの代わりに、スナップボタン、バックル、マジック・テープ、ボタン、又はとめピンなどの他のものを使用してもよい。
【００３５】
図４９〜５７は、本考案の実施例５において、半ズボンに転換する各ステップの概略図である。まず、図４９〜５２に示すように、バックル４５を外して掛け紐４３を取り外す。次に、図５３、５４に示すように、スナップボタン４４を開けてカバー４２を展開する。最後に、図５５〜５７に示すように、ファスナー４６、４７を下ろし、半ズボンの隠された部分を引き出し、完全に展開して、半ズボンへの転換が完成する。
【００３６】
図４７に示された半ズボンから図４６に示されたバッグへの転換は、図４９〜５７に示された各ステップを逆手順に従って行なうことで実現できる。
【実施例６】
【００３７】
図５８〜６５は、本考案の第６の実施例にかかる転換可能なバッグの概略図である。図５８に示すように、当該転換可能なバッグはリュックサックであり、バッグ本体５１と、カバー５２と、掛け紐５３とを備える。前記バッグ本体は展開状態でジャケットになり、図５９及び図６０はそれぞれ前記ジャケットの正面図及び後面図である。前記カバー５２は前記ジャケットの襟元部分であり、前記襟元部分をジャケットの他の部分に折り畳むことによって前記カバーを形成する。カバー５２をバッグ本体５１に密着させるように、前記バッグ本体５１及びカバー５２の対応する位置にそれぞれバックル５４、５５が配置されており、図６１はバックル５４の拡大図である。掛け紐５３及びバッグ本体５１の対応する位置にそれぞれ配置されたバックル５６（図５１を参考）を介して、前記カバー５３は前記バッグ本体５１と着脱可能に連結されており、前記バックルの代わりに、スナップボタン、ファスナー、マジック・テープ、ボタン、又はとめピンなどの他のものを使用してもよい。
【００３８】
バッグ本体５１の周辺にファスナー５６、５７が配置されている。前記ファスナーはバッグ本体５１の軸線に対して対称的に配置されるため、バッグ本体５１の周辺全体をカバーしている。当該転換可能なバッグを展開してジャケットになった状態で、前記ファスナー５６、５７はジャケットの軸線に対称で、各ファスナーの半分はジャケットの正面にあり、それと噛み合うファスナーの半分はジャケットの裏面にある。前記バッグ本体５１をジャケットからバッグへ転換させる過程において、ジャケットの襟元以外の部分をファスナー５６、５７に囲まれた領域の中に隠し、ファスナー５６、５７を締めて、完全なバッグを形成する。前記ファスナーの代わりに、スナップボタン、バックル、マジック・テープ、ボタン、又はとめピンなどの他のものを使用してもよい。
【００３９】
図６１〜６４は、本考案の第６の実施例において、ジャケットに転換する各ステップの概略図である。まず、図６１に示すように、バックル５４、５５を外し、前記カバー５２を展開してジャケットの襟元を形成する。次に、図６２に示すように、バックル５６を外して掛け紐５３を取り外す。そして、図６３に示すように、ファスナー５７、５８を下ろし、ファスナーに囲まれた領域の中に隠された部分を引き出す。最後に、図６４に示すように、袖を引き出し、バッグからジャケットへの転換が完成する。なお、前記転換可能なバッグにインナーバッグ５９が更に配置された場合、図６５に示す方法に従って、スナップボタン６０を開けて、インナーバッグ５９を取り出すことができる。
【００４０】
図５９に示されたジャケットから図５８に示されたリュックサックへの転換は、図６１〜６４に示された各ステップを逆手順に従って行なうことで実現できる。インナーバッグ５９を配置する必要がある場合、まず、図６５に示すように、インナーバッグ５９をジャケットの中に配置し、次に、図６１〜６４の各ステップの逆手順に従って行えばよい。
【００４１】
上記実施例に示すように、本考案にかかる転換可能なバッグに、カバー、インナーバッグ、及び／又は掛け紐を加えてもよい。前記カバーは、バッグの開口部を封ずる機能を実現する一方、美観性向上に寄与する。インナーバッグは、物の出し入れを容易にし、前記掛け紐はバッグの携帯を容易にするという役割を有している。転換可能なバッグが衣類として使用される場合、これらの付属品を着脱可能なインナーバッグ内に入れてもよい。また、転換可能なバッグに芯地、又は裏地を作り、前記付属品を前記芯地の中に入れてもよい。各付属品の体積が小さいため、転換可能なバッグを衣類に転換した後、これらの付属品を適切に収納すれば、着用の際の快適さに悪影響を与えることは殆どない。
【００４２】
本考案にかかる転換可能なバッグを転換する前では、普通のバッグと同じように多くの物を収容できるため、物を収容、又は保存するというバッグの本来の機能を発揮できる。簡単なステップ、又は工程を経て、転換可能なバッグを衣類に転換させることができ、転換後の衣類は美観的且つ着心地がよい。転換後の衣類を容易にバッグに変えることもできる。本考案は美観的且つ着心地がよいものであり、その使用は簡単且つ容易であり、幅広く適用できる。
【００４３】
また、ショルダー・バッグ及びリュックサックを例として本考案を説明したが、本考案にかかる転換可能なバッグは、ハンド・バッグ、トート・バッグなどの他のタイプのバッグであってもよい。なお、転換可能なバッグからジャケット、スカート、及び半ズボンへの転換だけを説明したが、チョッキ、シャツ、Tシャツ、セーター、又は他のタイプの衣類へ転換可能なバッグを作ることもできる。
【００４４】
上記実施例は本考案の技術案を説明するものであり、本考案を限定するものではない。最良な実施形態を参照して本考案を詳細に説明したが、本考案の精神を逸脱しない範囲内において、当業者は本考案に対して各種の改良と変形を行ってもよい。
【符号の説明】
【００４５】
１、２１、３１、４１、５１  バッグ本体
１０  カバー・シート
１１、２９、３９、５９  インナーバッグ
２、２２、３２、４２、５２  カバー
３、２３、３３、４３、５３  掛け紐
４、８、９、２４、２７、２８、３４、３８１、３８２、４６、４７、５６、５７  ファスナー
５、６、１２、２５、２６、３０、３５、３６、４０、４４  スナップボタン
７、３７、４５、５４、５５  バックル
【図１】
0003158194.tif 000003
【図２】
0003158194.tif 000004
【図３】
0003158194.tif 000005
【図４】
0003158194.tif 000006
【図５】
0003158194.tif 000007
【図６】
0003158194.tif 000008
【図７】
0003158194.tif 000009
【図８】
0003158194.tif 000010
【図９】
0003158194.tif 000011
【図１０】
0003158194.tif 000012
【図１１】
0003158194.tif 000013
【図１２】
0003158194.tif 000014
【図１３】
0003158194.tif 000015
【図１４】
0003158194.tif 000016
【図１５】
0003158194.tif 000017
【図１６】
0003158194.tif 000018
【図１７】
0003158194.tif 000019
【図１８】
0003158194.tif 000020
【図１９】
0003158194.tif 000021
【図２０】
0003158194.tif 000022
【図２１】
0003158194.tif 000023
【図２２】
0003158194.tif 000024
【図２３】
0003158194.tif 000025
【図２４】
0003158194.tif 000026
【図２５】
0003158194.tif 000027
【図２６】
0003158194.tif 000028
【図２７】
0003158194.tif 000029
【図２８】
0003158194.tif 000030
【図２９】
0003158194.tif 000031
【図３０】
0003158194.tif 000032
【図３１】
0003158194.tif 000033
【図３２】
0003158194.tif 000034
【図３３】
0003158194.tif 000035
【図３４】
0003158194.tif 000036
【図３５】
0003158194.tif 000037
【図３６】
0003158194.tif 000038
【図３７】
0003158194.tif 000039
【図３８】
0003158194.tif 000040
【図３９】
0003158194.tif 000041
【図４０】
0003158194.tif 000042
【図４１】
0003158194.tif 000043
【図４２】
0003158194.tif 000044
【図４３】
0003158194.tif 000045
【図４４】
0003158194.tif 000046
【図４５】
0003158194.tif 000047
【図４６】
0003158194.tif 000048
【図４７】
0003158194.tif 000049
【図４８】
0003158194.tif 000050
【図４９】
0003158194.tif 000051
【図５０】
0003158194.tif 000052
【図５１】
0003158194.tif 000053
【図５２】
0003158194.tif 000054
【図５３】
0003158194.tif 000055
【図５４】
0003158194.tif 000056
【図５５】
0003158194.tif 000057
【図５６】
0003158194.tif 000058
【図５７】
0003158194.tif 000059
【図５８】
0003158194.tif 000060
【図５９】
0003158194.tif 000061
【図６０】
0003158194.tif 000062
【図６１】
0003158194.tif 000063
【図６２】
0003158194.tif 000064
【図６３】
0003158194.tif 000065
【図６４】
0003158194.tif 000066
【図６５】
0003158194.tif 000067
【手続補正書】
【提出日】平成22年1月18日(2010.1.18)
【手続補正１】
【補正対象書類名】実用新案登録請求の範囲
【補正対象項目名】全文
【補正方法】変更
【補正の内容】
【実用新案登録請求の範囲】
【請求項１】
転換可能なバッグであって、
展開状態で衣類を形成するバッグ本体と、
前記バッグ本体の適切な位置に縫い合わされており、前記衣類が前記バッグ本体に転換される際に、前記衣類の一部を前記衣類の他の一部の中に安定的に隠すように、互いに組み合わされる第１の取り付け品と、
を備えたことを特徴とする転換可能なバッグ。
【請求項２】
前記転換可能なバッグは、ショルダー・バッグ、ハンド・バッグ、トート・バッグ、又はリュックサックのいずれかであることを特徴とする請求項１に記載の転換可能なバッグ。
【請求項３】
前記衣類は、ジャケット、チョッキ、シャツ、Tシャツ、セーター、スカート、又はズボンのいずれかであることを特徴とする請求項１に記載の転換可能なバッグ。
【請求項４】
前記第１の取り付け品は、ファスナー、バックル、ボタン、マジックテープ（登録商標）、又はスナップボタンのいずれかであることを特徴とする請求項１に記載の転換可能なバッグ。
【請求項５】
前記転換可能なバッグが更にカバーを有することを特徴とする請求項１〜４の何れかに一項に記載の転換可能なバッグ。
【請求項６】
前記カバーは、第２の取り付け品を介して、前記バッグ本体と着脱可能に連結することを特徴とする請求項５に記載の転換可能なバッグ。
【請求項７】
前記第２の取り付け品は、ファスナー、バックル、ボタン、マジックテープ（登録商標）、又はスナップボタンのいずれかであることを特徴とする請求項６に記載の転換可能なバッグ。
【請求項８】
前記カバーを前記バッグ本体に密着させるように、第３の取り付け品が前記カバー及び前記バッグ本体の対応する位置にそれぞれ配置されることを特徴とする請求項５に記載の転換可能なバッグ。
【請求項９】
前記第３の取り付け品は、ファスナー、バックル、ボタン、マジックテープ（登録商標）、又はスナップボタンのいずれかであることを特徴とする請求項８に記載の転換可能なバッグ。
【請求項１０】
前記バッグ本体は前記衣類の一部であり、前記カバーは前記衣類の残りの部分であることを特徴とする請求項５に記載の転換可能なバッグ。
【請求項１１】
前記カバーを前記バッグ本体に密着させるように、第３の取り付け品が前記カバーと前記バッグ本体の対応する位置にそれぞれ配置されたことを特徴とする請求項１０に記載の転換可能なバッグ。
【請求項１２】
前記第３の取り付け品は、ファスナー、バックル、ボタン、マジックテープ（登録商標）、又はスナップボタンのいずれかであることを特徴とする請求項１１に記載の転換可能なバッグ。
【請求項１３】
第４の取り付け品を介して前記バッグ本体と着脱可能に連結された掛け紐を更に有することを特徴とする請求項１〜４の何れか一項に記載の転換可能なバッグ。
【請求項１４】
前記第４の取り付け品は、ファスナー、バックル、ボタン、マジックテープ（登録商標）、又はスナップボタンのいずれかであることを特徴とする請求項１３に記載の転換可能なバッグ。
【請求項１５】
前記転換可能なバッグ内にインナーバッグが更に配置されることを特徴とする請求項１〜４の何れか一項に記載の転換可能なバッグ。
【請求項１６】
前記インナーバッグは、第５の取り付け品を介して前記バッグ本体と着脱可能に連結されることを特徴とする請求項１５に記載の転換可能なバッグ。
【請求項１７】
前記第５の取り付け品は、ファスナー、バックル、ボタン、マジックテープ（登録商標）、又はスナップボタンのいずれかであることを特徴とする請求項１６に記載の転換可能なバッグ。
【請求項１８】
前記衣類は、芯地、又は裏地を備えることを特徴とする請求項１〜４の何れか一項に記載の転換可能なバッグ。
【手続補正２】
【補正対象書類名】明細書
【補正対象項目名】０００８
【補正方法】変更
【補正の内容】
【０００８】
本考案において、前記転換可能なバッグは、ショルダー・バッグ、ハンド・バッグ、トート・バッグ、又はリュックサックのいずれかであってよい。前記衣類は、ジャケット、チョッキ、シャツ、Tシャツ、セーター、スカート、又はズボンのいずれかであってよい。前記第１の取り付け品は、ファスナー、バックル、ボタン、マジックテープ（登録商標）、又はスナップボタンのいずれかであってよい。
【手続補正３】
【補正対象書類名】明細書
【補正対象項目名】００１４
【補正方法】変更
【補正の内容】
【００１４】
図１〜１１は、本考案の第１の実施例にかかる転換可能なバッグの概略図である。図１に示すように、前記転換可能なバッグはショルダー・バッグであり、バッグ本体１と、カバー２と、掛け紐３とを備える。前記バッグ本体１は展開状態でジャケットになり、図２と図３はそれぞれ前記ジャケットの正面図及び後面図である。前記カバー２及びバッグ本体１の対応する位置にそれぞれ配置されたファスナー４（図６を参考）を介して、前記カバー２は前記バッグ本体１に着脱可能に連結されている。カバー２をバッグ本体１に密着させるように、前記バッグ本体１及びカバー２の対応する位置に、更にそれぞれスナップボタン５、６を配置することができる。前記掛け紐３はバックル７を介して前記バッグ本体１に着脱可能に連結され、図５は前記バックル７の拡大図である。前記ファスナー、スナップボタン、及びバックルは互換性を有しており、マジックテープ（登録商標）、ボタン、又はとめピンなどの他のものを使用してもよい。
【手続補正４】
【補正対象書類名】明細書
【補正対象項目名】００１５
【補正方法】変更
【補正の内容】
【００１５】
バッグ本体１の底部（前記ジャケットの中間部分に対応）にファスナー８、９が配置されている。前記バッグ本体１をジャケットからバッグに転換させる過程において、ジャケットの上半部を下半部の中に隠した後、ファスナー８、９を閉め、完全なバッグを形成する。図６に示すように、バッグ本体底部の長手方向全体に亘って２つのファスナーが配置されているが、１つのファスナーを配置してもよい。バッグ本体は、展開されて形成されたジャケットが綺麗に見えるように、カバー・シート１０にて前記ファスナーを被覆することができる。それによって、バッグ本体をジャケットに展開した後、前記ファスナーはジャケットの表面に露出することはない。なお、前記ファスナーの代わりに、スナップボタン、バックル、マジックテープ（登録商標）、ボタン、又はとめピンなどの他のものを使用してもよい。
【手続補正５】
【補正対象書類名】明細書
【補正対象項目名】００１９
【補正方法】変更
【補正の内容】
【００１９】
図１２に示すように、本考案の実施例２及び実施例１はほぼ類似であり、両者の相違点は、以下の点である。即ち、実施例２におけるバッグ本体１の中にインナーバッグ１１が更に配置され（図１８を参考）、インナーバッグ１１及びバッグ本体１の対応する位置にそれぞれ配置されたスナップボタン１２を介して、前記インナーバッグ１１は前記バッグ本体１に着脱可能に連結できる。同様に、前記スナップボタンの代わりに、ファスナー、バックル、マジックテープ（登録商標）、ボタン、又はとめピンなどの他のものを使用してもよい。
【手続補正６】
【補正対象書類名】明細書
【補正対象項目名】００２４
【補正方法】変更
【補正の内容】
【００２４】
そこで、前記ファスナー及びスナップボタンは互換性を有しており、バックル、マジックテープ（登録商標）、ボタン、又はとめピンなどの他のものを使用してもよい。
【手続補正７】
【補正対象書類名】明細書
【補正対象項目名】００２７
【補正方法】変更
【補正の内容】
【００２７】
図３５〜４５は、本考案の第４の実施例にかかる転換可能なバッグの概略図である。図３５に示すように、当該転換可能なバッグもショルダー・バッグであり、バッグ本体３１と、カバー３２と、掛け紐３３とを備える。前記バッグ本体３１は展開状態でスカートになり、図３６及び図３７はそれぞれ前記スカートの正面図及び後面図である。前記カバー３２及びバッグ本体３１の対応する位置にそれぞれ配置されたファスナー３４（図４１を参考）を介して、前記カバー３２は前記バッグ本体３１と着脱可能に連結されている。カバー３２をバッグ本体３１に密着させるように、前記バッグ本体３１及びカバー３２の対応する位置に更にそれぞれスナップボタン３５、３６を合わせて配置することができる。前記掛け紐３３はバックル３７を介して前記バッグ本体３１と着脱可能に連結され、図３９は前記バックル３７の拡大図である。前記ファスナー、スナップボタン、及びバックルは互換性を有しており、マジックテープ（登録商標）、ボタン、又はとめピンなどの他のものを使用してもよい。
【手続補正８】
【補正対象書類名】明細書
【補正対象項目名】００２８
【補正方法】変更
【補正の内容】
【００２８】
バッグ本体３１の両側辺（スカートの両側辺に対応）にそれぞれファスナー３８１、３８２が配置されている。前記バッグ本体３１をスカートからバッグへ転換させる過程において、スカートの上半部及び下半部を折り畳んだ後、ファスナー３８１、３８２を締めて、完全なバッグを形成する。前記ファスナーの代わりに、スナップボタン、バックル、マジックテープ（登録商標）、ボタン、又はとめピンなどの他のものを使用してもよい。
【手続補正９】
【補正対象書類名】明細書
【補正対象項目名】００２９
【補正方法】変更
【補正の内容】
【００２９】
なお、前記バッグ本体３１の中にインナーバッグ３９を更に配置することもできる。インナーバッグ３９及びバッグ本体３１の対応する位置にそれぞれ配置されたスナップボタン４０を介して、前記インナーバッグ３９は前記バッグ本体３１と着脱可能に連結できる。前記スナップボタンの代わりに、ファスナー、バックル、マジックテープ（登録商標）、ボタン、又はとめピンなどの他のものを使用してもよい。
【手続補正１０】
【補正対象書類名】明細書
【補正対象項目名】００３２
【補正方法】変更
【補正の内容】
【００３２】
図４６〜５７は、本考案の第５の実施例にかかる転換可能なバッグの概略図である。図４６に示すように、当該転換可能なバッグはウェストバッグであり、バッグ本体４１と、カバー４２と、掛け紐４３とを備える。前記バッグ本体は展開状態で半ズボンになり、図４７及び図４８はそれぞれ前記半ズボンの正面図及び後面図である。前記カバー４２は前記半ズボンのウエスト部分であり、前記ウエスト部分を半ズボンの他の部分に折り畳むことによって前記カバー４２を形成する。カバー４２をバッグ本体４１に密着させるように、前記バッグ本体４１及びカバー４２の対応する位置にそれぞれスナップボタン４４が配置されている。掛け紐４３及びバッグ本体４１の対応する位置にそれぞれ配置されたバックル４５（図５１を参考）を介して、前記掛け紐４３は前記バッグ本体４１と着脱可能に連結されている。前記スナップボタン、バックルとバックルは互換性を有しており、ファスナー、マジックテープ（登録商標）、ボタン、又はとめピンなどの他のものを使用してもよい。
【手続補正１１】
【補正対象書類名】明細書
【補正対象項目名】００３４
【補正方法】変更
【補正の内容】
【００３４】
なお、前記２本のファスナーの代わりに、より長いファスナー１本を使用することもでき、前記ファスナーの代わりに、スナップボタン、バックル、マジックテープ（登録商標）、ボタン、又はとめピンなどの他のものを使用してもよい。
【手続補正１２】
【補正対象書類名】明細書
【補正対象項目名】００３７
【補正方法】変更
【補正の内容】
【００３７】
図５８〜６５は、本考案の第６の実施例にかかる転換可能なバッグの概略図である。図５８に示すように、当該転換可能なバッグはリュックサックであり、バッグ本体５１と、カバー５２と、掛け紐５３とを備える。前記バッグ本体は展開状態でジャケットになり、図５９及び図６０はそれぞれ前記ジャケットの正面図及び後面図である。前記カバー５２は前記ジャケットの襟元部分であり、前記襟元部分をジャケットの他の部分に折り畳むことによって前記カバーを形成する。カバー５２をバッグ本体５１に密着させるように、前記バッグ本体５１及びカバー５２の対応する位置にそれぞれバックル５４、５５が配置されており、図６１はバックル５４の拡大図である。掛け紐５３及びバッグ本体５１の対応する位置にそれぞれ配置されたバックル５６（図５１を参考）を介して、前記カバー５３は前記バッグ本体５１と着脱可能に連結されており、前記バックルの代わりに、スナップボタン、ファスナー、マジックテープ（登録商標）、ボタン、又はとめピンなどの他のものを使用してもよい。
【手続補正１３】
【補正対象書類名】明細書
【補正対象項目名】００３８
【補正方法】変更
【補正の内容】
【００３８】
バッグ本体５１の周辺にファスナー５６、５７が配置されている。前記ファスナーはバッグ本体５１の軸線に対して対称的に配置されるため、バッグ本体５１の周辺全体をカバーしている。当該転換可能なバッグを展開してジャケットになった状態で、前記ファスナー５６、５７はジャケットの軸線に対称で、各ファスナーの半分はジャケットの正面にあり、それと噛み合うファスナーの半分はジャケットの裏面にある。前記バッグ本体５１をジャケットからバッグへ転換させる過程において、ジャケットの襟元以外の部分をファスナー５６、５７に囲まれた領域の中に隠し、ファスナー５６、５７を締めて、完全なバッグを形成する。前記ファスナーの代わりに、スナップボタン、バックル、マジックテープ（登録商標）、ボタン、又はとめピンなどの他のものを使用してもよい。